【手続補正書】
【提出日】平成16年3月18日(2004.3.18)
【手続補正１】
【補正対象書類名】明細書
【補正対象項目名】発明の名称
【補正方法】変更
【補正の内容】
【発明の名称】電気光学装置の駆動方法、電気光学装置及び電子機器


【手続補正２】
【補正対象書類名】明細書
【補正対象項目名】特許請求の範囲
【補正方法】変更
【補正の内容】
【特許請求の範囲】
【請求項１】
複数の走査線と複数のデータ線との交差に対応して設けられたスイッチング素子と、前記スイッチング素子に接続された画素電極とからなる画素を備えた電気光学装置の駆動方法において、
画像信号の特定ラインとその直後のラインは同一の極性とし、前記特定ラインの直前ラインは反転した極性となる３ラインで一組としたパターンで極性反転を行い、
正極性の画像信号が供給される前記走査線の本数と負極性の画像信号が供給される前記走査線の本数が等しくなるように画像信号の極性を前記特定ラインに応じてライン毎に制御することを特徴とする電気光学装置の駆動方法。
【請求項２】
前記特定ラインは間引きの対象となることを特徴とする請求項１に記載の電気光学装置の駆動方法。
【請求項３】
２ライン毎に極性が反転した画像信号を書き込まれ、前記特定ラインでは画像信号が書き込まれないことを特徴とする請求項２に記載の電気光学装置の駆動方法。
【請求項４】
前記特定ラインは間伸ばしの対象となることを特徴とする請求項１に記載の電気光学装置の駆動方法。
【請求項５】
２ライン毎に極性が反転した画像信号を書き込まれ、３ラインに１ラインの割合で２本の走査線を同時駆動することを特徴とする請求項４に記載の電気光学装置の駆動方法。
【請求項６】
複数の走査線と複数のデータ線との交差に対応して設けられたスイッチング素子と、前記スイッチング素子に接続された画素電極とからなる画素を備えた電気光学装置において、
入力画像信号のライン数を検出し検出信号を生成するライン数検出回路と、
前記ライン数検出回路の検出信号に基づいて、画像信号の特定ラインとその直後のラインは同一の極性とし前記特定ラインの直前ラインは反転した極性となる３ラインで一組としたパターンで極性反転を施して画像信号を生成し、正極性の画像信号が供給される前記走査線の本数と負極性の画像信号が供給される前記走査線の本数が等しくなるように画像信号の極性を前記特定ラインに応じてライン毎に制御する信号処理回路とを備えたことを特徴とする電気光学装置。
【請求項７】
前記特定ラインは間引きの対象となることを特徴とする請求項６に記載の電気光学装置。
【請求項８】
２ライン毎に極性が反転した画像信号を書き込まれ、前記特定ラインでは画像信号が書き込まれないように制御する走査線駆動回路を備えることを特徴とする請求項６に記載の電気光学装置。
【請求項９】
前記特定ラインは間伸ばしの対象となることを特徴とする請求項６に記載の電気光学装置の駆動方法。
【請求項１０】
２ライン毎に極性が反転した画像信号を書き込まれ、３ラインに１ラインの割合で２本の走査線を同時駆動する走査線駆動回路を備えることを特徴とする請求項９に記載の電気光学装置の駆動方法。
【請求項１１】
請求項６乃至請求項１１のうちいずれか一項に記載した電気光学装置を備えたことを特徴とする電子機器。
【手続補正３】
【補正対象書類名】明細書
【補正対象項目名】０００８
【補正方法】変更
【補正の内容】
【０００８】
【課題を解決するための手段】
上記目的を達成するため、本発明の電気光学装置の駆動方法は、画像信号の特定ラインとその直後のラインは同一の極性とし、前記特定ラインの直前ラインは反転した極性となる３ラインで一組としたパターンで極性反転を行い、正極性の画像信号が供給される前記走査線の本数と負極性の画像信号が供給される前記走査線の本数が等しくなるように画像信号の極性を前記特定ラインに応じてライン毎に制御することを特徴とする。


【手続補正４】
【補正対象書類名】明細書
【補正対象項目名】０００９
【補正方法】変更
【補正の内容】
【０００９】
この発明によれば、画像信号の特定ラインにおいて、間引きを行ったり、間伸ばしを行うことができる。これにより、入力画像信号のライン数と走査線の数が一致しなくとも、ライン数の変換のためのコンバータを用いることなく、入力画像信号を電気光学装置に表示させることができる。


【手続補正５】
【補正対象書類名】明細書
【補正対象項目名】００１０
【補正方法】変更
【補正の内容】
【００１０】
本発明の電気光学装置の駆動方法は、前記特定ラインは間引きの対象となる場合は、２ライン毎に極性が反転した画像信号を書き込まれ、前記特定ラインでは画像信号が書き込まれないとよい。


【手続補正６】
【補正対象書類名】明細書
【補正対象項目名】００１１
【補正方法】変更
【補正の内容】
【００１１】
本発明の電気光学装置の駆動方法は、前記特定ラインは間伸ばしの対象となる場合は、２ライン毎に極性が反転した画像信号を書き込まれ、３ラインに１ラインの割合で２本の走査線を同時駆動するとよい。


【手続補正７】
【補正対象書類名】明細書
【補正対象項目名】００１２
【補正方法】変更
【補正の内容】
【００１２】
また、本発明の電気光学装置は、入力画像信号のライン数を検出し検出信号を生成するライン数検出回路と、前記ライン数検出回路の検出信号に基づいて、画像信号の特定ラインとその直後のラインは同一の極性とし前記特定ラインの直前ラインは反転した極性となる３ラインで一組としたパターンで極性反転を施して画像信号を生成し、正極性の画像信号が供給される前記走査線の本数と負極性の画像信号が供給される前記走査線の本数が等しくなるように画像信号の極性を前記特定ラインに応じてライン毎に制御する信号処理回路とを備えたことを特徴とする。


【手続補正８】
【補正対象書類名】明細書
【補正対象項目名】００１３
【補正方法】変更
【補正の内容】
【００１３】
この電気光学装置によれば、画像信号の特定ラインにおいて、間引きを行ったり、間伸ばしを行うことができる。これにより、入力画像信号のライン数と走査線の数が一致しなくとも、ライン数の変換のためのコンバータを用いることなく、入力画像信号を電気光学装置に表示させることができる。


【手続補正９】
【補正対象書類名】明細書
【補正対象項目名】００１４
【補正方法】変更
【補正の内容】
【００１４】
また、電気光学装置は、前記特定ラインは間引きの対象とするために、２ライン毎に極性が反転した画像信号を書き込まれ、前記特定ラインでは画像信号が書き込まれないように制御する走査線駆動回路を備えるとよい。


【手続補正１０】
【補正対象書類名】明細書
【補正対象項目名】００１５
【補正方法】変更
【補正の内容】
【００１５】
また、電気光学装置は、前記特定ラインは間伸ばしの対象とするために、２ライン毎に極性が反転した画像信号を書き込まれ、３ラインに１ラインの割合で２本の走査線を同時駆動する走査線駆動回路を備えるとよい。


【手続補正１１】
【補正対象書類名】明細書
【補正対象項目名】００１６
【補正方法】削除
【補正の内容】
【手続補正１２】
【補正対象書類名】明細書
【補正対象項目名】００１７
【補正方法】削除
【補正の内容】
【手続補正１３】
【補正対象書類名】明細書
【補正対象項目名】００１８
【補正方法】削除
【補正の内容】
【手続補正１４】
【補正対象書類名】明細書
【補正対象項目名】００１９
【補正方法】削除
【補正の内容】
【手続補正１５】
【補正対象書類名】明細書
【補正対象項目名】００２０
【補正方法】削除
【補正の内容】
【手続補正１６】
【補正対象書類名】明細書
【補正対象項目名】００２１
【補正方法】削除
【補正の内容】
【手続補正１７】
【補正対象書類名】明細書
【補正対象項目名】００２２
【補正方法】削除
【補正の内容】
【手続補正１８】
【補正対象書類名】明細書
【補正対象項目名】００２３
【補正方法】削除
【補正の内容】
【手続補正１９】
【補正対象書類名】明細書
【補正対象項目名】００２４
【補正方法】削除
【補正の内容】
【手続補正２０】
【補正対象書類名】明細書
【補正対象項目名】００２５
【補正方法】削除
【補正の内容】
【手続補正２１】
【補正対象書類名】明細書
【補正対象項目名】００２６
【補正方法】削除
【補正の内容】
【手続補正２２】
【補正対象書類名】明細書
【補正対象項目名】００２７
【補正方法】削除
【補正の内容】
【手続補正２３】
【補正対象書類名】明細書
【補正対象項目名】００２８
【補正方法】削除
【補正の内容】
【手続補正２４】
【補正対象書類名】明細書
【補正対象項目名】００２９
【補正方法】削除
【補正の内容】
【手続補正２５】
【補正対象書類名】明細書
【補正対象項目名】００３０
【補正方法】削除
【補正の内容】
【手続補正２６】
【補正対象書類名】明細書
【補正対象項目名】００３１
【補正方法】削除
【補正の内容】
【手続補正２７】
【補正対象書類名】明細書
【補正対象項目名】００３２
【補正方法】削除
【補正の内容】